(57)【要約】【課題】管理者自身の記憶等の人為的手段に頼ることなく他の情報伝送装置との間の接続関係を常に正確に把握できるようにし、これにより例えばメンテナンスの作業効率及び信頼性の向上を可能にする。【解決手段】親局装置Ｍａ，Ｍｂ，Ｍｃ，Ｍｄ，Ｍｅを光ケーブルＣａｂ，Ｃｂｃ，Ｃｃｄ，Ｃｄｅを介して接続したシステムにおいて、各親局装置Ｍａ，Ｍｂ，Ｍｃ，Ｍｄ，Ｍｅに接続情報テーブル１３２をそれぞれ設けている。そして、親局装置Ｍａ，Ｍｂ，Ｍｃ，Ｍｄ，Ｍｅごとに、接続先の他の親局装置との間で通信を行うことで他の親局装置との間の接続関係を表す情報を取得し、この取得された情報を上記各接続情報テーブル１３２に格納するようにしたものである。【選択図】      図２
2006020222.tif 000002
【特許請求の範囲】
【請求項１】
複数の情報伝送装置を伝送路を介して選択的に接続し、この伝送路を介して前記複数の情報伝送装置間で情報を伝送するシステムで使用される前記情報伝送装置において、
他の情報伝送装置との間の接続関係を少なくとも情報伝送装置の識別情報を用いて表した接続情報を記憶するテーブルを具備したことを特徴とする情報伝送装置。
【発明の詳細な説明】
【技術分野】
【０００１】
この発明は、例えば複数の親局間を伝送路を介して接続して情報の伝送を行う移動通信システムにおいて、上記親局として使用される情報伝送装置に関する。
【背景技術】
【０００２】
一般にセルラ方式の移動通信システムでは、サービスを提供するエリア内に複数の基地局を分散配置することで複数のセルを形成している。また、地下街やトンネル内等の不感エリアに対しては、上記基地局に接続された親局を介して接続された子局を設置することにより通信可能としている。上記各親局は例えば光伝送路により相互に接続され、そのうちの一つが光伝送路を介して制御局に接続されている。また子局は近接する親局に光伝送路を介して接続されている。
【０００３】
ところで、このような移動通信システムにおいて親局や子局等の情報伝送装置のメンテナンスを行う場合には、例えばシステム管理者が各局の設置場所に出向き、メンテナンスツールを局装置に接続することにより局装置の動作チェックや各種設定を行っている。このため、システムが多数の局を備える場合や、局が遠隔地や、山間地或いはトンネル内等の難所に設置されている場合には、システム管理運営上余計な時間やコスト、労力がかかるという問題点があった。
【０００４】
そこで、各局を保守用の伝送路により接続し、この保守用伝送路を介して局間で通信を行うことで、各局の状態を遠隔監視および制御するシステムが提案されている。例えば、任意の親局装置に他の各局装置の電源の状態に連動するスイッチを設け、このスイッチの状態から他の各局の電源の状態、つまり電源がオンになっているか否かを確認できるようにしている（例えば、特許文献１を参照。）。
【０００５】
【特許文献１】特開２００２−２０９０１４
【発明の開示】
【発明が解決しようとする課題】
【０００６】
ところが、上記従来提案されている装置では、伝送路により接続されている装置の有無および電源の状態については確認できるが、どの局装置が接続されているかを識別することができない。例えば、１台のマスター親局装置Ａと２台のスレーブ親局装置Ｂ，Ｃで構成されるシステムにおいて、マスター親局装置Ａとスレーブ親局装置Ｂとがケーブルにより接続され、マスター親局装置Ａとスレーブ親局装置Ｃとがケーブルにより接続されているものとする。このとき、マスター親局装置Ａは２台の親局装置が接続されていることは認識できるが、スレーブ親局装置Ｂ、およびスレーブ親局装置Ｃが接続されていることを認識することができない。例えば、スレーブ親局装置Ｂを新たに追加したスレーブ親局装置Ｄに置き換えた場合には、現場の事情を知らないシステム管理者はスレーブ親局装置Ｄが接続されていることを認識することができないため、依然としてスレーブ親局装置Ｂが接続されていると誤認識してしまうことになる。
【０００７】
すなわち、従来の装置では、システム管理者は局間の接続構成を現場の保守員等から口頭で聞き出して自身で記憶しておくか或いはメモを作成する必要があり、またメンテナンス作業を行う場合には管理者自身の記憶やメモに頼らざるを得ないため、メンテナンスの作業効率及び信頼性が低かった。
【０００８】
この発明は上記事情に着目してなされたもので、その目的とするところは、管理者自身の記憶等の人為的手段に頼ることなく他の情報伝送装置との間の接続関係を常に正確に把握できるようにし、これにより例えばメンテナンスの作業効率及び信頼性の向上を可能とする情報伝送装置を提供することにある。
【課題を解決するための手段】
【０００９】
上記目的を達成するためにこの発明は、複数の情報伝送装置を伝送路を介して選択的に接続し、この伝送路を介して上記複数の情報伝送装置間で情報を伝送するシステムで使用される上記情報伝送装置にあって、接続情報の記憶テーブルを新たに備える。そして、このテーブルに、他の情報伝送装置との間の接続関係を少なくとも情報伝送装置の識別情報を用いて表した接続情報を記憶するようにしたものである。
【００１０】
したがってこの発明によれば、情報伝送装置のテーブルに他の情報伝送装置との間の接続関係を表す接続情報が記憶され、しかもこの接続情報は他の情報伝送装置の識別情報を少なくとも含むものとなっている。このため、例えばシステムのメンテナンスを行う場合に、システム管理者は自身の記憶やメモ等に頼ることなく、任意の情報伝送装置のテーブルを参照することにより当該情報伝送装置に接続されている他の情報伝送装置を、常に簡単かつ正確に認識することが可能となる。
【００１１】
この発明の関連発明としては次のようなものが考えられる。  
第１の関連発明は、複数の情報伝送装置間で、例えば定期的或いは接続構成の変更時に、伝送路を介して接続情報の問い合わせ及びその応答を送受信することで、テーブルに記憶されている接続情報を更新するものである。したがって、テーブルに記憶されている接続情報を自動的に更新することが可能となり、これによりテーブルの接続情報を常に最新のものに保持することができる。
【００１２】
第２の関連発明は、メンテナンスツールが接続された場合に、テーブルから接続情報を読み出してメンテナンスツールに表示させる。そして、この接続情報をもとにシステム管理者がメンテナンス対象の装置を指定したのちメンテナンス要求を入力した場合に、メンテナンス対象が自装置であるか否かを判定する。この判定の結果、メンテナンス対象が自装置であれば、メンテナンス要求の内容に応じて自装置の動作履歴の返送或いは動作状態の制御を実行する。一方、メンテナンス対象が他の情報伝送装置であれば、このメンテナンス対象の装置へ上記メンテナンス要求を転送し、当該他の情報伝送装置に対し動作履歴の返送或いは動作状態の制御を実行させるものである。
【００１３】
したがってシステム管理者は、システムの何れか一つの情報伝送装置から、伝送路により接続されている他のすべての情報伝送装置に対し遠隔的な監視および制御が可能となる。このため、例えば遠隔地や、山間地及びトンネル等のように難所に設置された情報伝送装置に対し、システム管理者は最寄りの安全な場所に設置された情報伝送装置から遠隔的なメンテナンス処理を行うことが可能となり、これによりメンテナンスに必要な時間、コスト、労力を軽減することができる。
【００１４】
また、任意の情報伝送装置において現状のシステムの接続構成を把握できるため、システムの接続構成の変更、つまり伝送路や装置の構成を容易に変更することができ、これにより柔軟で汎用性の高いシステムを提供できる。さらに、現地でシステムの接続構成が変更された場合でも、システム管理者は接続情報テーブルの更新を実行するだけで、現地に赴かなくとも全体のシステム構成を把握することができるため、人為的ミスが減少し、緊急を要する事態にも迅速かつ的確に対応することが可能となる。
【発明の効果】
【００１５】
要するにこの発明によれば、接続情報の記憶テーブルを新たに備え、このテーブルに、他の情報伝送装置との間の接続関係を少なくとも情報伝送装置の識別情報を用いて表した接続情報を記憶するようにしたことによって、管理者自身の記憶等の人為的手段に頼ることなく他の情報伝送装置との間の接続関係を常に正確に把握することができ、これにより例えばメンテナンスの作業効率及び信頼性を向上させることが可能な情報伝送装置を提供することができる。
【発明を実施するための最良の形態】
【００１６】
（第１の実施形態）
この発明の第１の実施形態は、情報伝送装置としての親局装置と複数の子局装置とを備える複数のサブシステムを光ケーブルを介して接続したシステムにおいて、上記各親局装置に他のサブシステムとの接続関係を表す情報を格納する接続情報テーブルをそれぞれ設け、かつこれらの接続情報テーブルの記憶情報を親局間で相互通信を行うことで自動作成及び更新するようにしたものである。
【００１７】
図１は、この発明に係わる情報伝送装置を備える通信システムの第１の実施形態を示す概略構成図である。
このシステムは、図１に示すように、複数のサブシステムＳＳａ，ＳＳｂ，ＳＳｃを備えている。各サブシステムＳＳａ，ＳＳｂ，ＳＳｃはそれぞれ、親局装置Ｍａ，Ｍｂ，Ｍｃと、複数の子局装置ＳＬａ１〜ＳＬａｎ，ＳＬｂ１〜ＳＬｂｎ，ＳＬｃ１〜ＳＬｃｎとを備えている。また各サブシステムＳＳａ，ＳＳｂ，ＳＳｃは、無停電電源装置（ＵＰＳ：Uninterruptible Power Supply）ＵＭａ，ＵＭｂ，ＵＭｃ，ＵＳＬａ，ＵＳＬｂ，ＵＳＬｃを備えている。
【００１８】
親局装置Ｍａ，Ｍｂ，Ｍｃは、サブシステムＳＳａ，ＳＳｂ，ＳＳｃがカバーすべきサービスエリアに対して無線エリアを形成する。そして無線エリアに位置する図示しない移動局との間で無線通信を行う。子局装置ＳＬａ１〜ＳＬａｎ，ＳＬｂ１〜ＳＬｂｎ，ＳＬｃ１〜ＳＬｃｎは、例えばトンネル内に所定の距離を隔てて設置され、トンネル内に位置する移動局との間で無線通信を行う。親局用の無停電電源装置ＵＭａ，ＵＭｂ，ＵＭｃは、それぞれ親局装置Ｍａ，Ｍｂ，Ｍｃに対して電源を供給する。子局用の無停電電源装置ＵＳＬａ，ＵＳＬｂ，ＵＳＬｃはそれぞれ子局装置ＳＬａ１〜ＳＬａｎ，ＳＬｂ１〜ＳＬｂｎ，ＳＬｃ１〜ＳＬｃｎに対して給電を行う。
【００１９】
サブシステムＳＳａ，ＳＳｂ，ＳＳｃ間における情報伝送は、これらの親局装置Ｍａ，Ｍｂ，Ｍｃ間を伝送路で接続することで可能となる。伝送路としては有線伝送路、無線伝送路を問わないが、ここでは例えば光ケーブルＣａｂ，Ｃｂｃを用いる。このシステムでは、親局装置Ｍａと親局装置Ｍｂとの間が光ケーブルＣａｂを介して接続され、さらに親局装置Ｍｂと親局装置Ｍｃとの間が光ケーブルＣｂｃを介して接続されている。また、親局装置Ｍａ，Ｍｂ，Ｍｃは、子局装置ＳＬａ１〜ＳＬａｎ，ＳＬｂ１〜ＳＬｂｎ，ＳＬｃ１〜ＳＬｃｎと光ケーブルＣＳＬａ，ＣＳＬｂ，ＣＳＬｃを介してそれぞれ接続され、親子間通信を可能とする。
【００２０】
なお、ＢＭａは図示しない制御局との間で通信を行う無線基地局装置（ＢＴＳ：Base Transceiver Station）、ＧＭａはシステムリセットなどに利用される地気入出力ポートである。
【００２１】
次に、親局装置Ｍａ，Ｍｂ，Ｍｃの機能構成について説明する。なお、親局装置Ｍａ，Ｍｂ，Ｍｃは基本構成が同一であるため、ここでは親局装置Ｍａを例にとって説明する。図２はその機能構成を示すブロック図である。
【００２２】
親局装置Ｍａは、マイクロプロセッサなどの中央処理ユニット（ＣＰＵ：Central Processor Unit）１１を備える。このＣＰＵ１１には、バス１２を介してデータメモリ１３とプログラムメモリ１４が接続される。さらに親局間通信インターフェース（親局間通信Ｉ／Ｆ）１５と親子通信インターフェース（親子通信Ｉ／Ｆ）１６が接続されている。親局間通信Ｉ／Ｆ１５は、ＣＰＵ１１の制御の下、光ケーブルにより直接接続された他の親局装置Ｍｂとの間で相互にデータの送受信を行う。親子通信Ｉ／Ｆ１６は、ＣＰＵ１１の制御の下、子局装置ＳＬａ１〜ＳＬａｎとの間で光ケーブルＣＳＬａを介して相互にデータの送受信を行う。また無線ユニット１７は、ＣＰＵ１１の制御の下、無線エリアに存在する移動局との間で無線通信を行う。ＢＴＳＩ／Ｆ１８は、親局装置Ｍａと図示しない制御局との間で情報データ及び制御データの送受信を行う。
【００２３】
データメモリ１３は、記憶媒体として例えばＲＡＭ及びハードディスクを使用したもので、自局情報テーブル１３１と、接続情報テーブル１３２とを備えている。これらのテーブル構成の一例を図３に示す。
自局情報テーブル１３１には、親局装置Ｍａの自局情報Ａが格納される。自局情報Ａは、親局装置Ｍａの局番号“００１”及び属性情報“ａ”とから構成される。局番号は、親局装置を識別するための番号である。属性情報ａは、例えば図３に示したように、自局に光ケーブルＣＳＬａを介して接続されている各子局装置ＳＬａ１〜ＳＬａｎの識別番号により構成される。
【００２４】
接続情報テーブル１３２には、親局装置Ｍａに対し光ケーブルＣａｂ、Ｃｂｃを介して接続されている他の親局装置Ｍｂ，Ｍｃの接続先情報Ｂ，Ｃが格納される。接続先情報Ｂは局番号“００２”と属性情報“ｂ”とから構成され、また接続先情報Ｃは局番号“００３”と属性情報“ｃ”とから構成される。属性情報“ｂ”は親局装置Ｍｂに光ケーブルＣＳＬｂを介して接続されている各子局装置ＳＬｂ１〜ＳＬｂｎの識別番号により構成され、同様に属性情報“ｃ”は親局装置Ｍｃに光ケーブルＣＳＬｃを介して接続されている各子局装置ＳＬｃ１〜ＳＬｃｎの識別番号により構成される。
【００２５】
プログラムメモリ１４には、この発明を実現するためのアプリケーション・プログラムとして、接続情報要求プログラム１４１と、接続情報応答プログラム１４２が格納されている。
接続情報要求プログラム１４１は、親局装置Ｍａが保持する接続情報テーブル１３２の作成及び更新処理を次のように実行する。すなわち、はじめにステップ４ａにて、親局装置Ｍａと直接接続される他の親局装置Ｍｂに対して光ケーブルＣａｂを介して接続情報要求を送信する。続いてステップ４ｂにて、親局装置Ｍａは、親局装置Ｍｂから光ケーブルＣａｂを介して返送される接続情報応答を受信する。接続情報応答は、親局装置Ｍｂの自局情報と接続先情報とを含む。次にステップ４ｃにて、親局装置Ｍａは親局装置Ｍｂから受信した接続情報応答をもとに接続情報テーブル１３２の作成及び更新を行う。
【００２６】
接続情報応答プログラム１４２は、親局装置Ｍａにおいて常駐プログラムとして動作するもので、次のような接続情報応答処理を実行する。すなわち、ステップ５ａにおいて他の親局装置Ｍｂからの接続情報要求の到来を監視している。この状態で他の親局装置Ｍｂから光ケーブルＣａｂを介して接続情報要求が到来すると、ステップ５ｂにより自局情報テーブル１３１及び接続情報テーブル１３２からそれぞれ自局情報及び接続先情報を読み出し、ステップ５ｃにて接続情報応答を作成する。そして、ステップ５ｄにて、親局装置Ｍａはステップ５ｃにて作成した接続情報応答を要求元の親局装置Ｍｂへ光ケーブルＣａｂを介して返送する。
【００２７】
次に、サブシステムＳＳａ，ＳＳｂ，ＳＳｃ，ＳＳｄ，ＳＳｅにより構成されたシステムにおける各親局装置Ｍａ，Ｍｂ，Ｍｃ，Ｍｄ，Ｍｅの接続情報テーブル１３２の作成および更新手順を説明する。
いま仮に、各親局装置Ｍａ，Ｍｂ，Ｍｃ，Ｍｄ，Ｍｅが、図６に示すように接続されているものとする。すなわち、親局装置Ｍａと親局装置Ｍｂとが光ケーブルＣａｂを介して接続されている。また、親局装置Ｍｃと親局装置Ｍｄとが光ケーブルＣｃｄを介して接続され、さらに親局装置Ｍｄと親局装置Ｍｅとが光ケーブルＣｄｅを介して接続されている。
【００２８】
図７は、図６のシステム構成における各親局装置Ｍａ，Ｍｂ，Ｍｃ，Ｍｄ，Ｍｅの接続情報テーブル１３２の作成手順を、また図８は各親局装置Ｍａ，Ｍｂ，Ｍｃ，Ｍｄ，Ｍｅの自局情報テーブル１３１および接続情報テーブル１３２の状態遷移をそれぞれ示す。なお、親局装置Ｍａ，Ｍｂ，Ｍｃ，Ｍｄ，Ｍｅの接続情報テーブル１３２の初期状態は、図８に示すようにすべて空になっている。
【００２９】
先ずシーケンス（７０１）において、親局装置Ｍａは親局装置Ｍｂに対して接続情報要求Ｓａｂを送信する。親局装置Ｍｂは、親局装置Ｍａから接続情報要求を受信すると、自局情報テーブル１３１および接続情報テーブル１３２からそれぞれ自局情報及び接続先情報を読み込み、接続情報応答Ｒ（Ｂ，  ）を作成する。このとき、接続情報応答Ｒ（Ｂ，  ）は、親局装置Ｍｂの接続情報テーブル１３２が初期状態であるため、接続先情報は空である。そして親局装置Ｍｂは、上記作成された接続情報応答Ｒ（Ｂ，  ）を要求元の親局装置Ｍａへ送信する。親局装置Ｍａは、親局装置Ｍｂから接続情報応答Ｒ（Ｂ，  ）を受信すると、受信された接続情報応答Ｒ（Ｂ，  ）に含まれる親局装置Ｍｂの接続先情報Ｂを自身の接続情報テーブル１３２に格納する。この結果、親局装置Ｍａの接続情報テーブル１３２には、図８に示すように親局装置Ｍｂの局番号００２と属性情報“ｂ”が追加される。
【００３０】
一方、シーケンス（７０１）において、親局装置Ｍｃは親局装置Ｍｄに対して接続情報要求Ｓｃｄを送信する。上記接続情報要求Ｓｃｄを受信すると親局装置Ｍｄは、自局情報テーブル１３１および接続情報テーブル１３２からそれぞれ自局情報及び接続先情報を読み込み、接続情報応答Ｒ（Ｄ，  ）を作成する。このとき、接続情報応答Ｒ（Ｄ，  ）は、親局装置Ｍｄの接続情報テーブル１３２が初期状態であるため、接続先情報は空である。親局装置Ｍｄは、上記作成された接続情報応答Ｒ（Ｄ，  ）を要求元の親局装置Ｍｃへ送信する。親局装置Ｍｃは、親局装置Ｍｄから接続情報応答Ｒ（Ｄ，  ）を受信すると、この受信された接続情報応答Ｒ（Ｄ，  ）に含まれる親局装置Ｍｄの接続先情報Ｄを自身の接続情報テーブル１３２に格納する。この結果、親局装置Ｍｃの接続情報テーブル１３２には、図８に示すように親局装置Ｍｄの局番号００４と属性情報“ｄ”が追加される。
【００３１】
続いて、シーケンス（７０２）では、（７０１）とは反対に親局装置Ｍｂが親局装置Ｍａに対して接続情報要求Ｓｂａを送信する。親局装置Ｍａは、接続情報要求Ｓｂａを受信すると、接続情報応答Ｒ（Ａ，Ｂ）を作成して要求元の親局装置Ｍｂに送信する。接続情報応答Ｒ（Ａ，Ｂ）には、親局装置Ｍａの自局情報Ａと、シーケンス（７０１）で格納された接続先情報Ｂとが含まれる。親局装置Ｍｂは、親局装置Ｍａから接続情報応答Ｒ（Ａ，Ｂ）を受信すると、この受信された接続情報応答Ｒ（Ａ，Ｂ）に含まれる接続先情報Ａ（局番号：００１，属性情報：ａ）を接続情報テーブル１３２に格納する。
【００３２】
またシーケンス（７０２）では、親局装置Ｍｄが親局装置Ｍｃに対して接続情報要求Ｓｄｃを、また親局装置Ｍｅに対して接続情報要求Ｓｄｅをそれぞれ送信する。そして、親局装置Ｍｃから接続情報応答Ｒ（Ｃ，Ｄ）が、また親局装置Ｍｅから接続情報応答Ｒ（Ｅ，  ）がそれぞれ返送されると、これらの接続情報応答Ｒ（Ｃ，Ｄ）及び接続情報応答Ｒ（Ｅ，  ）に含まれる親局装置Ｍｃの接続先情報Ｃ（局番号：００３，属性情報：ｃ）及び親局装置Ｍｅの接続先情報Ｅ（局番号：００５，属性情報：ｅ）を接続情報テーブル１３２にそれぞれ格納する。
【００３３】
次に、シーケンス（７０３）では、再び親局装置Ｍａと親局装置Ｍｂとの間で接続情報要求Ｓａｂの送信と接続情報応答Ｒ（Ｂ，Ａ）の返送が行われるが、このとき親局装置Ｍａの接続情報テーブル１３２にはすでに接続先情報Ｂが格納されているので、接続情報テーブル１３２への追加記憶は行われない。
【００３４】
また、親局装置Ｍｅは、親局装置Ｍｄに対して接続情報要求Ｓｅｄを送信する。この接続情報要求Ｓｅｄを受け親局装置Ｍｄは、親局装置Ｍｅに対して接続情報応答Ｒ（Ｄ，ＣＥ）を送信する。親局装置Ｍｅは、上記接続情報応答Ｒ（Ｄ，ＣＥ）を受信すると、この受信された接続情報応答Ｒ（Ｄ，ＣＥ）に含まれる接続先情報Ｃ（局番号：００３，属性情報：ｃ）および接続先情報Ｄ（局番号：００４，属性情報：ｄ）を接続情報テーブル１３２に格納する。
【００３５】
続いてシーケンス（７０４）では、上記シーケンス（７０３）と同様に親局装置Ｍａと親局装置Ｍｂとの間で接続情報要求Ｓａｂの送信と接続情報応答Ｒ（Ｂ，Ａ）の返送が行われるが、この場合も接続情報テーブル１３２には接続先情報Ｂが格納されているので、接続情報テーブル１３２への追加記憶は行われない。一方、親局装置Ｍｃと親局装置Ｍｄとの間でも、再び接続情報要求Ｓｃｄの送信と接続情報応答Ｒ（Ｄ，ＣＥ）の返送が行われる。しかし、このとき返送された接続情報応答Ｒ（Ｄ，ＣＥ）は更新されているため、親局装置Ｍｃはこの受信された接続情報応答Ｒ（Ｄ，ＣＥ）に含まれる接続先情報Ｅ（局番号：００５，属性情報：ｅ）を接続情報テーブル１３２に格納する。  
かくして、図６に示すシステム構成における各親局装置Ｍａ，Ｍｂ，Ｍｃ，Ｍｄ，Ｍｅの接続情報テーブル１３２の作成が完了する。
【００３６】
一方、システムの接続構成が、上記図６に示す構成から図９に示す構成に変更されたとする。すなわち、図6に示す接続構成に加え、さらに親局装置Ｍｂと親局装置Ｍｃとの間が光ケーブルＣｂｃを介して接続される。この場合、各親局装置Ｍａ，Ｍｂ，Ｍｃ，Ｍｄ，Ｍｅではそれぞれ次のように各接続情報テーブル１３２の更新処理が実行される。図１０にその更新手順を、また図１１に各親局装置Ｍａ，Ｍｂ，Ｍｃ，Ｍｄ，Ｍｅの自局情報テーブル１３１および接続情報テーブル１３２の状態遷移を示す。
【００３７】
すなわち、先ずシーケンス（１１０１）において、親局装置Ｍｂは親局装置Ｍａに対して接続情報要求Ｓｂａを、また親局装置Ｍｃに対して接続情報要求Ｓｂｃをそれぞれ送信する。これに対し親局装置Ｍａ及び親局装置Ｍｃはそれぞれ接続情報応答Ｒ（Ａ，Ｂ）及び接続情報応答Ｒ（Ｃ，ＤＥ）を返送する。これに対し親局装置Ｍｂは、上記各応答のうち接続情報応答Ｒ（Ａ，Ｂ）はすでに自身の接続情報テーブル１３２に記憶されているため、この接続情報応答Ｒ（Ａ，Ｂ）の追加記憶を行わない。一方親局装置Ｍｃから返送された接続情報応答Ｒ（Ｃ，ＤＥ）は、まだ接続情報テーブル１３２に記憶されていない。このため親局装置Ｍｂは、上記受信された接続情報応答Ｒ（Ｃ，ＤＥ）に含まれる接続先情報Ｃ（局番号：００３，属性情報ｃ）、接続先情報Ｄ（局番号：００４，属性情報ｄ）及び接続先情報Ｅ（局番号：００５，属性情報ｅ）を自身の接続情報テーブル１３２に格納する。
【００３８】
続いてシーケンス（１１０２）においては、親局装置Ｍｃが親局装置Ｍｂに対して接続情報要求Ｓｃｂを、また親局装置Ｍｄに対して接続情報要求Ｓｃｄをそれぞれ送信する。上記要求Ｓｃｂ，Ｓｃｄに対し親局装置Ｍｂ及び親局装置Ｍｄはそれぞれ、接続情報応答（Ｂ，ＡＣＤＥ）及び接続情報応答（Ｄ，ＣＥ）を返送する。これに対し親局装置Ｍｃは、接続情報応答（Ｂ，ＡＣＤＥ）に含まれる各接続情報のうち、すでに記憶されているものを除く接続情報Ａ（局番号：００１，属性情報ａ）及び接続情報Ｂ（局番号：００２，属性情報ｂ）を接続情報テーブル１３２に追加記憶する。なお、親局装置Ｍｄから返送された接続情報応答Ｒ（Ｄ，ＣＥ）については、接続情報テーブル１３２にすでに記憶されているので、追加記憶を行わない。
【００３９】
次にシーケンス（１１０３）においては、親局装置Ｍｄは親局装置Ｍｃに対して接続情報要求Ｓｄｃを、また親局装置Ｍｅに対して接続情報要求Ｓｄｅをそれぞれ送信する。上記要求Ｓｄｃ，Ｓｄｅに対し親局装置Ｍｃ及び親局装置Ｍｅはそれぞれ、接続情報応答（Ｃ，ＤＥＡＢ）及び接続情報応答（Ｅ，ＣＤ）を返送する。これに対し親局装置Ｍｄは、親局装置Ｍｃから返送された接続情報応答Ｒ（Ｃ，ＤＥＡＢ）をもとに、まだ記憶されていない接続先情報Ａ（局番号：００１，属性情報ａ）と接続先情報Ｂ（局番号：００２，属性情報ｂ）を接続情報テーブル１３２に追加記憶する。なお、親局装置Ｍｅから返送された接続情報応答Ｒ（Ｅ，ＣＤ）については記憶済みのため、接続情報テーブル１３２の更新は行われない。
【００４０】
最後にシーケンス（１１０４）においては、親局装置Ｍａが親局装置Ｍｂに対して接続情報要求Ｓａｂを送信する。これに対し親局装置Ｍｂは接続情報応答Ｒ（Ｂ，ＡＣＤＥ）を返送する。親局装置Ｍａは、上記接続情報応答Ｒ（Ｂ，ＡＣＤＥ）が受信されると、このうちのまだ記憶されていない接続先情報Ｃ（局番号：００３，属性情報ｃ）、接続先情報Ｄ（局番号：００４，属性情報ｄ）及び接続先情報Ｅ（局番号：００５，属性情報ｅ）を自身の接続情報テーブル１３２に追加記憶する。また、シーケンス（１１０４）において親局装置Ｍｅは、親局装置Ｍｄに対して接続情報要求Ｓｅｄを送信する。これに対し親局装置Ｍｄは接続情報応答Ｒ（Ｄ，ＣＥＡＢ）を返送する。親局装置Ｍｅは、上記接続情報応答Ｒ（Ｄ，ＣＥＡＢ）が受信されると、このうちのまだ記憶されていない接続先情報Ａ（局番号：００１，属性情報ａ）と接続先情報Ｂ（局番号：００２，属性情報ｂ）を接続情報テーブル１３２に追加記憶する。  
かくして、図９に示すように接続構成が変更されたシステムにおいて、各親局装置Ｍａ，Ｍｂ，Ｍｃ，Ｍｄ，Ｍｅの接続情報テーブル１３２の更新が完了する。
【００４１】
以上述べたように第１の実施形態では、親局装置Ｍａ，Ｍｂ，Ｍｃ，Ｍｄ，Ｍｅを光ケーブルＣａｂ，Ｃｂｃ，Ｃｃｄ，Ｃｄｅを介して接続したシステムにおいて、各親局装置Ｍａ，Ｍｂ，Ｍｃ，Ｍｄ，Ｍｅに接続情報テーブル１３２をそれぞれ設けている。そして、親局装置Ｍａ，Ｍｂ，Ｍｃ，Ｍｄ，Ｍｅごとに、接続先の他の親局装置との間で通信を行うことで他の親局装置との間の接続関係を表す情報を取得し、この取得された情報を上記各接続情報テーブル１３２に格納するようにしている。
【００４２】
したがって、各親局装置Ｍａ，Ｍｂ，Ｍｃ，Ｍｄ，Ｍｅにおいて、どの装置が接続されているかを常に正確に把握することができる。このため、例えばシステムのメンテナンスを行う場合に、システム管理者は自身の記憶やメモ等に頼ることなく、接続先の他の親局装置を簡単かつ正確に認識することが可能となる。
【００４３】
しかも第１の実施形態では、接続先の親局装置Ｍａ，Ｍｂ，Ｍｃ，Ｍｄ，Ｍｅ相互間でシステム変更時に通信を行うことで、接続情報テーブル１３２の記憶情報を更新するようにしている。このため、現地で親局装置Ｍａ，Ｍｂ，Ｍｃ，Ｍｄ，Ｍｅの接続構成の変更や新たな親局装置の追加が行われた場合でも、これに応じて各親局装置Ｍａ，Ｍｂ，Ｍｃ，Ｍｄ，Ｍｅの接続情報テーブル１３２の記憶情報が自動的に更新される。したがってシステム管理者は、接続情報テーブル１３２により常に最新の接続情報を認識することができる。また現場にしてみれば、親局装置の接続構成をその都度システム管理者に報告することなく随意に変更することが可能となり、これにより柔軟で汎用的の高いシステムを提供できる。
【００４４】
なお、以上の説明では、システムの運用開始時とシステム変更時に接続情報の自動作成・更新手順を実行するようにしたが、定期的或いはランダムなタイミングで接続情報の自動作成・更新手順を実行するようにしてもよい。このようにすると、システムの運用開始時やシステム変更時において、システム管理者又は現場の保守員が接続情報の自動作成・更新手順の開始指示を入力する必要がなくなる。または、親局装置にシステムの運用開始及びシステム変更の発生を検出する機能を設ける必要もなくなる。
【００４５】
（第２の実施形態）  
この発明の第２の実施形態は、前記第１の実施形態で述べた各種機能に加え、自装置の動作履歴を記憶するログ情報データベースと、メンテナンスツール応答制御機能とを備える。そして、接続されたメンテナンスツールに対し接続情報テーブルの記憶情報を送信することにより、メンテナンスツールによる監視対象の親局又は子局装置の指定を可能とし、自装置が指定された場合にメンテナンスツールとの間で通信を行うことにより、上記ログ情報データベースに記憶されたログ情報を読み出してメンテナンスツールに送信するようにしたものである。
【００４６】
図１２は、この発明に係わる情報伝送装置を備える通信システムの第２の実施形態を示す概略構成図である。なお、同図において前記図１と同一部分には同一符号を付して詳しい説明は省略する。  
親局装置Ｍａには、メンテナンスツールＭＴが接続可能となっている。メンテナンスツールＭＴは、例えばノート型のパーソナル・コンピュータからなり、システム管理者はこのメンテナンスツールＭＴを用いてサブシステムＳＳａ，ＳＳｂ，ＳＳｃの親局装置Ｍａ，Ｍｂ，Ｍｃとの間で遠隔監視または制御を行う。
【００４７】
図１３は親局装置Ｍａの機能構成を示すブロック図である。なお、同図においても、前記図２と同一部分には同一符号を付して詳しい説明は省略する。また、親局装置Ｍａ，Ｍｂ，Ｍｃは基本構成が同一ため、ここでは親局装置Ｍｂ，Ｍｃについての説明は省略する。
【００４８】
親局装置Ｍａはシリアル通信Ｉ／Ｆ１９を備える。シリアル通信Ｉ／Ｆ１９は、上記メンテナンスツールＭＴとの間で通信を行うために使用される。  
データメモリ１３には、自局情報テーブル１３１及び接続情報テーブル１３２に加え、ログ情報データベース１３３が設けてある。ログ情報データベース１３３には、例えば図１４に示すように親局装置Ｍａ及び当該親局装置Ｍａに接続される各子局装置ＳＬａ１〜ＳＬａｎのログ情報が記憶される。ログ情報とは、親局装置Ｍａ及び各子局装置ＳＬａ１〜ＳＬａｎの動作履歴を蓄積したものである。
【００４９】
プログラムメモリ１４には、メンテナンスツール応答プログラム１４３が新たに格納されている。このメンテナンスツール応答プログラム１４３は、親局装置Ｍａにおいて常駐プログラムとして動作する。メンテナンスツールＭＴから自局宛ての接続情報要求およびログ情報要求を受信した場合に、メンテナンスツールＭＴに対して、それぞれ接続情報応答及びログ情報応答を返送する。またメンテナンスツールＭＴから他局宛ての要求を受信した際には、当該要求を他の親局装置Ｍｂ，Ｍｃに転送する機能を有する。同様に他の親局装置Ｍｂ，ＭｃからメンテナンスツールＭＴに対する応答を受信した際には、当該応答をメンテナンスツールＭＴへ転送する。
【００５０】
次に、以上のように構成された親局装置Ｍａ，Ｍｂ，Ｍｃのメンテナンス応答動作を説明する。図１５は、その制御手順と制御内容を示すフローチャートである。なお、ここでは図１６に示すように、親局装置Ｍａと親局装置Ｍｂとの間及び親局装置Ｍｂと親局装置Ｍｃとの間がそれぞれ光ケーブルＣａｂ，Ｃｂｃを介して接続された状態で、親局装置ＭａにメンテナンスツールＭＴを接続して各親局装置Ｍａ，Ｍｂ，Ｍｃの動作監視制御を行う場合を例にとって説明する。図１７にそのシーケンスを示す。
【００５１】
まず、メンテナンスツールＭＴにおいて親局装置Ｍｂのログ情報を取得する手順を説明する。はじめに、メンテナンスツールＭＴは、システム構成を把握するために、親局装置Ｍａから接続情報を取得する。  
すなわち、シーケンス（１７０１）において、メンテナンスツールＭＴは、メンテナンスツールＭＴが直接接続されている親局装置Ｍａに対して接続情報要求Ｓ（Ｍａ，接続情報）を送信する。親局装置Ｍａは図１５に示すようにステップ１５ａにおいて要求の到来を監視している。この状態でメンテナンスツールＭＴからの接続情報要求Ｓ（Ｍａ，接続情報）が受信されると、ステップ１５ｂにより上記受信された接続情報要求Ｓ（Ｍａ，接続情報）は自局宛て、つまり親局装置Ｍａ宛てであるか他局宛であるかを判定する。そして、自局宛と判定されると、ステップ１５ｃにおいて上記受信された接続情報要求Ｓ（Ｍａ，接続情報）の要求内容を判定する。
【００５２】
いま、上記接続情報要求Ｓ（Ｍａ，接続情報）の要求内容は接続情報の取得要求であるため、親局装置Ｍａはステップ１５ｄに移行して、ここで自局情報テーブル１３１及び接続情報テーブル１３２からそれぞれ自局情報及び接続先情報を読み出す。そして、ステップ１５ｅにて接続情報応答Ｒ（Ｍａ，接続情報）を作成し、この作成された接続情報応答Ｒ（Ｍａ，接続情報）をステップ１５ｅにより要求元のメンテナンスツールＭＴに対し送信する。
【００５３】
以上のシーケンス（１７０１）を実行することにより、メンテナンスツールＭＴの表示画面上には上記システムの接続構成が表示される。したがってシステム管理者は、光ケーブルＣａｂ，Ｃｂｃを介して接続されている親局装置Ｍａ，Ｍｂ，Ｍｃの接続構成と、これらの親局装置Ｍａ，Ｍｂ，Ｍｃにそれぞれ接続された子局装置ＳＬａ１〜ＳＬａｎ，ＳＬｂ１〜ＳＬｂｎ，ＳＬｃ１〜ＳＬｃｎの接続構成を把握することができる。
【００５４】
さて、この状態でシステム管理者が、親局装置Ｍｂのログ情報を取得するべく、メンテナンスツールＭＴにおいて親局装置Ｍｂを監視対象として指定した上でログ情報の取得要求を入力したとする。  
そうするとメンテナンスツールＭＴは、シーケンス（１７０１）にて取得した接続情報をもとに、シーケンス（１７０２）にて親局装置Ｍｂに対してログ情報要求Ｓ（Ｍｂ，ログ情報）を送信する。メンテナンスツールＭＴと直接接続されている親局装置Ｍａは、ステップ１５ａにおいて、ログ情報要求Ｓ（Ｍｂ，ログ情報）を受信する。しかし、受信されたログ情報要求Ｓ（Ｍｂ，ログ情報）は自局宛てでないため、ステップ１５ｊにより当該ログ情報要求Ｓ（Ｍｂ，ログ情報）を親局装置Ｍｂへ転送する。
【００５５】
親局装置Ｍｂは、ステップ１５ａにてログ情報要求Ｓ（Ｍｂ，ログ情報）を受信すると、ステップ１５ｂ及びステップ１５ｃにてそれぞれ自局宛てであるか否かと要求内容を判定する。この判定の結果、自局宛のログ情報取得要求であることが確認されると、ステップ１５ｇに移行してここでログ情報データベース１３３よりログ情報を読み出し、ステップ１５ｈによりログ情報応答Ｒ（Ｍｂ，ログ情報）を作成する。そして、この作成されたログ情報応答Ｒ（Ｍｂ，ログ情報）をステップ１５ｉにて要求元のメンテナンスツールＭＴへ送信する。このログ情報応答Ｒ（Ｍｂ，ログ情報）は、親局装置Ｍａにおいてステップ１５ａにより受信されるが、ステップ１５ｂにて自局宛てでないと判断されるため、ステップ１５ｊによりメンテナンスツールＭＴへ転送される。
【００５６】
メンテナンスツールＭＴでは、上記親局装置Ｍｂから親局装置Ｍａを介して転送されたログ情報応答Ｒ（Ｍｂ，ログ情報）が記憶部に記憶されると共に、表示器に表示される。かくして、親局装置Ｍｂのログ情報が取得される。すなわち、シーケンス（１７０１）とシーケンス（１７０２）を組み合わせて実行することにより、メンテナンスツールＭＴを親局装置Ｍｂに対し直接ケーブルで接続することなく、親局装置Ｍａを介して親局装置Ｍｂのログ情報を取得することができる。また、システム管理者は、記憶やメモを頼りにすることなくシステムの接続関係を把握して、これにより短時間にかつ誤ることなく所望の親局装置及び子局装置のログ情報を取得することができる。
【００５７】
また、システム管理者が、親局装置Ｍｃのログ情報を取得するべく、シーケンス（１７０３）により親局装置Ｍａから接続情報を取得したのち、親局装置Ｍｃを監視対象として指定した上でログ情報の取得要求を入力したとする。  
そうするとメンテナンスツールＭＴは、シーケンス（１７０３）で取得した接続情報をもとに、シーケンス（１７０４）にて親局装置Ｍｃに対してログ情報要求Ｓ（Ｍｃ，ログ情報）を送信する。メンテナンスツールＭＴと直接接続されている親局装置Ｍａはステップ１５ａにおいて、ログ情報要求Ｓ（Ｍｃ，ログ情報）を受信する。しかし、ステップ１５ｂにて、ログ情報要求Ｓ（Ｍｃ，ログ情報）は自局宛てでないと判断されるため、ステップ１５ｊにて親局装置Ｍａはログ情報要求Ｓ（Ｍｃ，ログ情報）を親局装置Ｍｃに対して転送する。親局装置Ｍｂは、ステップ１５ａにてログ情報要求Ｓ（Ｍｃ，ログ情報）を受信するが、親局装置Ｍａと同様にステップ１５ｂによりログ情報要求Ｓ（Ｍｃ，ログ情報）が自局宛てでないと判断し、ステップ１５ｊにて上記受信されたログ情報要求Ｓ（Ｍｃ，ログ情報）を親局装置Ｍｃに対して転送する。
【００５８】
親局装置Ｍｃは、ステップ１５ａにてログ情報要求Ｓ（Ｍｃ，ログ情報）を受信すると、ステップ１５ｂ及びステップ１５ｃにてそれぞれ自局宛てであるか否かと要求内容を判定する。この判定の結果、自局宛のログ情報取得要求であることが確認されると、ステップ１５ｇに移行してここでログ情報データベース１３３よりログ情報を読み出し、ステップ１５ｈによりログ情報応答Ｒ（Ｍｃ，ログ情報）を作成する。そして、この作成されたログ情報応答Ｒ（Ｍｃ，ログ情報）をステップ１５ｉにて要求元のメンテナンスツールＭＴへ送信する。このログ情報応答Ｒ（Ｍｂ，ログ情報）は、親局装置Ｍｂ及び親局装置Ｍａを介してメンテナンスツールＭＴへ転送される。
【００５９】
メンテナンスツールＭＴでは、上記親局装置Ｍｃから親局装置Ｍｂ及びＭａを介して転送されたログ情報応答Ｒ（Ｍｃ，ログ情報）が記憶部に記憶されると共に、表示器に表示される。かくして、親局装置Ｍｃのログ情報が取得される。すなわち、シーケンス（１７０３）とシーケンス（１７０４）を組み合わせて実行することにより、メンテナンスツールＭＴを親局装置Ｍｃに対し直接ケーブルで接続することなく、親局装置Ｍｂ及びＭａを介して親局装置Ｍｃのログ情報を取得することができる。
【００６０】
したがって、第２の実施形態によれば、監視制御対象の親局装置Ｍｂ，Ｍｃが遠隔地に設置されていた場合でも、最寄りの親局装置ＭａにメンテナンスツールＭＴを接続して当該親局装置Ｍａからシステムの接続情報を取得し、この接続情報をもとに任意の監視対象を指定してログ情報を要求することにより、親局装置Ｍｂ，Ｍｃ及びその子局装置ＳＬｂ１〜ＳＬｂｎ，ＳＬｃ１〜ＳＬｃｎの遠隔監視及び制御が可能となる。すなわち、システム管理者は、複数の親局装置と子局装置とにより構成されるシステムのメンテナンスを行う場合に、その内の１台の親局装置にメンテナンスツールＭＴを接続するだけで、伝送路により接続されているすべての親局装置と子局装置の遠隔監視及び制御が可能となる。よって、システム管理者は、遠隔地に設置された装置の設置場所まで出向く必要がなくなる。このため、時間や経費の削減のつながり、緊急を要する事態にも迅速かつ的確に対応することが可能となる。
【００６１】
なお、この発明は、前記各実施形態に限定されるものではない。例えば、装置の機能構成、接続形態や台数、伝送路の種類、装置において実行される制御手順および内容、また記憶されるデータ構成および内容についても、この発明の要旨を逸脱しない範囲で種々変形して実施できる。
【００６２】
また、第２の実施形態ではメンテナンスツールＭＴによる監視制御の一例としてログ情報の取得を挙げたが、その他にもシステムを構成する情報伝送装置に対して、例えば装置の動作条件を指定するパラメータの設定やデバイスドライバなどのプログラムの更新などにも利用できる。
【００６３】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【図面の簡単な説明】
【００６４】
【図１】この発明に係わる情報伝送装置を備える通信システムの第１の実施形態を示す概略構成図。
【図２】図１に示した情報伝送装置の機能構成を示すブロック図。
【図３】図２に示したデータメモリに記憶されるテーブルの構成の一例を示すブロック図。
【図４】図２に示した情報伝送装置において実行される接続情報要求手順とその内容を示すフローチャート。
【図５】図２に示した情報伝送装置において実行される接続情報応答手順とその内容を示すフローチャート。
【図６】図２に示した情報伝送装置を複数台接続して構成されるシステムの概略構成図。
【図７】図６に示したシステムにおける各情報伝送装置の接続情報テーブルの作成手順を示すシーケンス図。
【図８】図７に示したシーケンスによる各情報伝送装置の接続情報テーブルの状態遷移を示す図。
【図９】図６に示したシステムにおいて情報伝送装置の接続構成を変更したシステムの概略構成図。
【図１０】図９のシステム構成における各情報伝送装置の接続情報テーブルの更新手順を示すシーケンス図。
【図１１】図１０のシーケンスによる各親局装置の接続情報テーブルの状態遷移を示す図。
【図１２】この発明に係わる情報伝送装置を備える通信システムにメンテナンスツールを接続した第２の実施形態を示す概略構成図。
【図１３】図１２に示した情報伝送装置の機能構成を示すブロック図。
【図１４】図１３に示したデータメモリに記憶されるテーブル構成の一例を示すブロック図。
【図１５】図１３に示した情報伝送装置において実行されるメンテナンスツール応答手順と内容の一例を示すフローチャート。
【図１６】複数の情報伝送装置とメンテナンスツールとを備えたシステムの概略構成図。
【図１７】図１６のシステム構成におけるメンテナンスツールによる監視制御手順を示すシーケンス図。
【符号の説明】
【００６５】
ＳＳａ、ＳＳｂ、ＳＳｃ…サブシステム、Ｍａ、Ｍｂ、Ｍｃ…親局装置、ＳＬａ１〜ＳＬａｎ、ＳＬｂ１〜ＳＬｂｎ、ＳＬｃ１〜ＳＬｃｎ…子局装置、Ｃａｂ、Ｃｂｃ…親局間光ケーブル、ＣＳＬａ、ＣＳＬｂ、ＣＳＬｃ…親子通信光ケーブル、ＵＭａ、ＵＭｂ、ＵＭｃ…親局用の無停電電源装置（ＵＰＳ）、ＵＳＬａ、ＵＳＬｂ、ＵＳＬｃ…子局用の無停電電源装置（ＵＰＳ）、ＢＭａ…ＢＴＳ、ＧＭａ…地気入出力ポート、ＭＴ…メンテナンスツール、１１…ＣＰＵ、１２…バス、１３…データメモリ、１４…プログラムメモリ、１５…親局間通信Ｉ／Ｆ、１６…親子通信Ｉ／Ｆ、１７…無線ユニット、１８…ＢＴＳ  Ｉ／Ｆ、１３１…自局情報テーブル、１３２…接続情報テーブル、１３３…ログ情報データベース、１４１…接続情報要求プログラム、１４２…接続情報応答プログラム、１４３…メンテナンスツール応答プログラム。
【図１】
2006020222.tif 000003
【図２】
2006020222.tif 000004
【図３】
2006020222.tif 000005
【図４】
2006020222.tif 000006
【図５】
2006020222.tif 000007
【図６】
2006020222.tif 000008
【図７】
2006020222.tif 000009
【図８】
2006020222.tif 000010
【図９】
2006020222.tif 000011
【図１０】
2006020222.tif 000012
【図１１】
2006020222.tif 000013
【図１２】
2006020222.tif 000014
【図１３】
2006020222.tif 000015
【図１４】
2006020222.tif 000016
【図１５】
2006020222.tif 000017
【図１６】
2006020222.tif 000018
【図１７】
2006020222.tif 000019